(57)【要約】【課題】ヒュージブルリンクの装着スペースの大型化を回避しつつ、ヒュージブルリンクにおける複数の接続部位に対してそれぞれ通電部材を確実に接続することを可能とする、新規な構造の電気接続箱を提供すること。【解決手段】二つの表裏導電部材３０ａ，３０ｂを、ヒュージブルリンク２６の支持部２２の表裏両面に跨って配設して、前記表裏導電部材３０ａ，３０ｂにおける表面２０側にヒュージブルリンク２６の端部接続端子８２ａ，８２ｂをそれぞれボルト固定すると共に、裏面２４側にバスバー７２ａ，７２ｂをそれぞれボルト固定する一方、前記支持部２２において前記表裏導電部材３０ａ，３０ｂの間に、前記ヒュージブルリンク２６の中央接続端子８４を挿通する挿通孔４２を貫通形成すると共に、前記支持部２２の裏面２４に該挿通孔４２を囲む周壁４８を形成することによってコネクタ部９８を構成した。【選択図】図２
2011101503.tif 000002
【特許請求の範囲】
【請求項１】
ヒュージブルリンクが装着された電気接続箱において、
前記ヒュージブルリンクの支持部に組み付けられて該支持部の表裏両面に跨がって配設される二つの表裏導電部材を、前記ヒュージブルリンクの長さ方向の両側部分にそれぞれ組み付けて、各前記表裏導電部材における前記支持部の表側に対して、前記ヒュージブルリンクの長さ方向の両端部分に設けられた端部接続端子をそれぞれボルト固定すると共に、各前記表裏導電部材における前記支持部の裏側に対して、各別のバスバーをそれぞれボルト固定する一方、前記支持部における前記ヒュージブルリンクの長さ方向の中間部分には、前記二つの表裏導電部材の間に位置して、前記ヒュージブルリンクの長さ方向の中間部分に設けられた中央接続端子が挿通される挿通孔を表裏に貫通形成すると共に、該挿通孔を囲んで裏面側に突出する周壁を前記支持部に一体形成することによりコネクタ部を構成したことを特徴とする電気接続箱。
【請求項２】
前記支持部の表側では、前記ヒュージブルリンクが前記支持部上で外方に突出すると共に、前記ヒュージブルリンクにおける前記端部接続端子が前記ヒュージブルリンクの幅方向で屈曲されて延び出して、前記表裏導電部材にボルト固定されている一方、前記支持部の裏側では、前記表裏導電部材に対する前記バスバーのボルト固定の位置が、前記コネクタ部を挟んだ両側に設定されており、前記ヒュージブルリンクにおける前記端部接続端子の延び出し方向において、前記支持部の表側における前記表裏導電部材への前記ボルト固定位置に比して前記支持部の裏側における前記表裏導電部材への前記ボルト固定位置が、前記ヒュージブルリンクに対する近位側に設定されている請求項１に記載の電気接続箱。
【請求項３】
前記ヒュージブルリンクの支持部が、電気接続箱本体と別体形成されており、前記表裏導電部材が組み付けられた前記支持部が前記電気接続箱本体に対して取り付けられている請求項１又は２に記載の電気接続箱。
【請求項４】
前記支持部の裏面には、前記コネクタ部を形成する前記周壁から外周側に突出する補強リブが一体形成されており、この補強リブによって、前記ヒュージブルリンクの長さ方向両側にそれぞれ配設された前記表裏導電部材の配設領域を仕切る隔壁が形成されている請求項１〜３の何れか１項に記載の電気接続箱。
【発明の詳細な説明】
【技術分野】
【０００１】
本発明は、自動車等に搭載される電気接続箱に係り、特にヒュージブルリンクが装着された電気接続箱に関する。
【背景技術】
【０００２】
従来から、自動車の電気配線回路上には電気接続箱が配されている。この電気接続箱には、内部に通電回路が形成されており、その通電回路上にヒューズやリレー等の電気部品が装着されている。特に、突入電流等の瞬間的に大電流が流れるモーター等を使用した負荷への通電回路上には、突入電流によるヒューズ溶断を回避しつつ過電流の発生時に溶断するヒュージブルリンク（スローブローヒューズ）が接続されている。例えば、特許文献１（特開平８−１８０９１８号公報）や特許文献２（特開２００１−５７１４４号公報）に記載されている如くである。
【０００３】
ところで、大きな電流が流れるヒュージブルリンクには、その入力端子や出力端子に対して、電気接続箱の外部に配線された太径の外部導線が接続されたり、電気接続箱の内部に配設されたバスバーが接続されたりして、大容量の通電部材が複数接続されることとなる。しかも、これらの通電部材は、ヒュージブルリンクに対して強固に且つ確実に接続される必要がある。
【０００４】
そこで、前記特許文献１にも記載されているように、電気接続箱における支持部材の表裏両面に亘って延びる厚肉の導電部材を用いてヒュージブルリンクにおける通電部材の接続部位を増設することが提案されている。また、前記特許文献１，２に記載されているように、ヒュージブルリンクの接続部位に対して通電部材をボルトで強固に固定することも提案されている。
【０００５】
しかしながら、ヒュージブルリンクに設けられた多数の接続部位において、それぞれ、通電部材をボルト固定しようとすると、ボルト螺着のために多くのスペースが必要となって、ヒュージブルリンクの装着スペースひいては電気接続箱が大型化してしまうという問題があった。そのために、特許文献２に示されているように、ヒュージブルリンクにおける接続部位のうちの幾つかでは、端子構造が採用されている。そして、ヒュージブルリンクの各端子に対して外部電線の圧着端子をねじ止めする作業は煩雑であることから、コネクタ構造を採用することが提案されている。しかし、信頼性のあるコネクタ嵌合を実現するためには、コネクタの抜けを防止する係止部を含むコネクタハウジングを設ける必要があり、当該接続部位に大きなスペースが必要となることから、他の接続部位に装着された固定用ボルトとの干渉が問題となり、実現が難しかった。
【先行技術文献】
【特許文献】
【０００６】
【特許文献１】特開平８−１８０９１８号公報
【特許文献２】特開２００１−５７１４４号公報
【発明の概要】
【発明が解決しようとする課題】
【０００７】
本発明は、上述の事情を背景に為されたものであって、その解決課題は、ヒュージブルリンクの装着スペースの大型化を回避しつつ、ヒュージブルリンクにおける複数の接続部位に対してそれぞれ通電部材を確実に接続することを可能とする、新規な構造の電気接続箱を提供することにある。
【課題を解決するための手段】
【０００８】
本発明の第一の態様は、ヒュージブルリンクが装着された電気接続箱において、前記ヒュージブルリンクの支持部に組み付けられて該支持部の表裏両面に跨がって配設される二つの表裏導電部材を、前記ヒュージブルリンクの長さ方向の両側部分にそれぞれ組み付けて、各前記表裏導電部材における前記支持部の表側に対して、前記ヒュージブルリンクの長さ方向の両端部分に設けられた端部接続端子をそれぞれボルト固定すると共に、各前記表裏導電部材における前記支持部の裏側に対して、各別のバスバーをそれぞれボルト固定する一方、前記支持部における前記ヒュージブルリンクの長さ方向の中間部分には、前記二つの表裏導電部材の間に位置して、前記ヒュージブルリンクの長さ方向の中間部分に設けられた中央接続端子が挿通される挿通孔を表裏に貫通形成すると共に、該挿通孔を囲んで裏面側に突出する周壁を前記支持部に一体形成することによりコネクタ部を構成したことを、特徴とする。
【０００９】
本発明によれば、表裏導電部材をヒュージブルリンクの支持部の表裏両面に跨って配設して、表裏導電部材の表側にヒュージブルリンクの端部接続端子をボルト固定すると共に、裏側にバスバーをボルト固定した。このように、表裏導電部材の表側と裏側をそれぞれボルト接続部として用いることによって、ヒュージブルリンクの端部接続端子に対するボルト接続部の複数をスペース効率良く形成することが出来る。従って、少なくとも各表裏導電部材の裏側にバスバーをボルト固定して接続し、更に必要に応じて、表側でも、ヒュージブルリンクにおける両端の端部接続端子のボルト固定部分にバスバーを共締めして接続することも可能となる。
【００１０】
それと共に、ヒュージブルリンクの中央接続端子を支持部の裏面側に突出させてコネクタ部を構成したことによって、裏面側へのコネクタ接続を可能とした。コネクタ接続を採用したことにより、ヒュージブルリンクの中央接続端子に対して、外部導線を係止状態で確実に接続することが出来る。しかも、コネクタ部を、ヒュージブルリンクの長さ方向両側の表裏導電部材の間の絶縁用スペースを巧く利用して形成したことによって、優れたスペース効率を得ることが出来、ヒュージブルリンクの支持部延いては電気接続箱の大型化を可及的に回避しつつ、コネクタ接続を実現することが出来る。
【００１１】
その結果、ヒュージブルリンクの端部接続端子および中央接続端子を含む複数の接続端子に対する複数の導電部材の接続を、ボルト固定とコネクタ接続によって実現することが可能となり、電気接続箱の大型化を回避しつつ、高い信頼性をもって導電部材を接続することが出来る。
【００１２】
本発明の第二の態様は、第一の態様に記載のものにおいて、前記支持部の表側では、前記ヒュージブルリンクが前記支持部上で外方に突出すると共に、前記ヒュージブルリンクにおける前記端部接続端子が前記ヒュージブルリンクの幅方向で屈曲されて延び出して、前記表裏導電部材にボルト固定されている一方、前記支持部の裏側では、前記表裏導電部材に対する前記バスバーのボルト固定の位置が、前記コネクタ部を挟んだ両側に設定されており、前記ヒュージブルリンクにおける前記端部接続端子の延び出し方向において、前記支持部の表側における前記表裏導電部材への前記ボルト固定位置に比して前記支持部の裏側における前記表裏導電部材への前記ボルト固定位置が、前記ヒュージブルリンクに対する近位側に設定されているものである。
【００１３】
本態様によれば、支持部の表側において、ヒュージブルリンクを支持部上に立てて装着することによって、少ない占有スペースでヒュージブルリンクを配設可能とした。そして、支持部の裏側におけるバスバーのボルト固定位置を、コネクタ部を挟んだ両側に設定すると共に、ヒュージブルリンクの端部接続端子の延び出し方向で、表側における端部接続端子のボルト固定位置に比してヒュージブルリンクに対して近位にずらして設定したことによって、表側でヒュージブルリンクの配設スペースとして用いられた領域を、裏側においてバスバーをボルト固定するための領域として巧く利用した。これにより、支持部においてヒュージブルリンクの長さ方向の中間部分により広いスペースを確保することが出来て、支持部の大型化を招くことなく、より大型のコネクタ部を形成することが出来る。
【００１４】
更に、表裏の各固定ボルトをヒュージブルリンクの端部接続端子の延び出し方向で相互に位置ずれさせたことによって、各固定ボルトの相互干渉を回避出来ることから、支持部の厚さ寸法、延いては表裏導電部材の厚さ寸法を小さく設定することが出来て、厚さ方向のコンパクト化も図ることが出来る。
【００１５】
本発明の第三の態様は、第一又は第二の態様に記載のものにおいて、前記ヒュージブルリンクの支持部が、電気接続箱本体と別体形成されており、前記表裏導電部材が組み付けられた前記支持部が前記電気接続箱本体に対して取り付けられているものである。
【００１６】
本態様によれば、電気接続箱本体と別体形成された支持部に表裏導電部材を組み付けた後に、支持部を電気接続箱本体に組み付けることによって、支持部の表裏に跨る表裏導電部材の配設を容易に行なうことが出来る。それと共に、電気接続箱本体において端部以外の、全周に亘って囲繞された内方にも支持部を容易に設けることが出来る。
【００１７】
また、ヒュージブルリンクやバスバーのボルト固定に際するねじ締め力が電気接続箱本体に直接に及ぼされることが回避されることから、ボルト固定に際する電気接続箱本体の損傷のおそれを軽減することも出来る。
【００１８】
本発明の第四の態様は、第一〜第三の何れか一つの態様に記載のものにおいて、前記支持部の裏面には、前記コネクタ部を形成する前記周壁から外周側に突出する補強リブが一体形成されており、この補強リブによって、前記ヒュージブルリンクの長さ方向両側にそれぞれ配設された前記表裏導電部材の配設領域を仕切る隔壁が形成されているものである。本態様によれば、補強リブによる簡易な構造で、コネクタ部の周壁の補強効果と、支持部の両側に配設された表裏導電部材の確実な仕切りによる短絡防止および位置決め効果が、何れも高度に達成され得る。
【発明の効果】
【００１９】
本発明によれば、ヒュージブルリンクの支持部の両側で表裏に跨って表裏導電部材を配設して、表裏導電部材の表側にヒュージブルリンクの端部接続端子をボルト固定すると共に、表裏導電部材の裏側にバスバーをボルト固定した。そして、支持部の裏面側においてヒュージブルリンクの長さ方向の中間部分に、ヒュージブルリンクの中央接続端子を突出させてコネクタ部を形成した。これにより、ボルト固定部およびコネクタ接続部をスペース効率良く形成しつつ、ヒュージブルリンクの端部接続端子および中央接続端子に対して、表裏導電部材やコネクタ等の通電部材をボルト固定やコネクタ接続を用いて確実に接続することが出来る。
【図面の簡単な説明】
【００２０】
【図１】本発明の一実施形態としての電気接続箱の表面図。
【図２】図１に示した電気接続箱の要部拡大表面図。
【図３】図２に示した要部の裏面図。
【図４】支持部と表裏導電部材の斜視図。
【図５】支持部に組み付けられるヒュージブルリンクの斜視図。
【発明を実施するための形態】
【００２１】
以下、本発明の実施形態について、図面を参照しつつ説明する。
【００２２】
先ず、図１に、本発明の一実施形態としての電気接続箱１０を示す。本実施形態における電気接続箱１０は自動二輪車に取り付けられるものであり、長手形状を有する合成樹脂製の箱本体１２を有している。箱本体１２には、複数のヒューズ取付部１４やリレー取付部１６が長手方向に延びる直線上に配列して設けられており、電気部品としてのヒューズ１８や図示しないリレー等が箱本体１２の一方の面としての表面２０側からそれぞれ装着されるようになっている。
【００２３】
また、箱本体１２の長手方向一方の端部には、ヒュージブルリンクの支持部２２が設けられている。図２に、支持部２２の表面２０側を示し、図３に、表面２０と反対の裏面２４側を示す。この支持部２２に表面２０側からヒュージブルリンク２６が装着されるようになっている。特に本実施形態における支持部２２は箱本体１２と別体形成されており、箱本体１２を厚さ方向に貫通して表面２０および裏面２４に開口する支持部挿入孔２８内に嵌め入れられた状態で、箱本体１２に固定されている。
【００２４】
図４に、支持部２２およびこれに組み付けられる表裏導電部材３０ａ，３０ｂを示す。支持部２２は、合成樹脂からなる長手の略矩形ブロック形状とされている。支持部２２の長さ方向の両側には、表裏導電部材３０ａ，３０ｂの配設領域としての嵌合溝３２ａ，３２ｂが形成されている。嵌合溝３２ａ，３２ｂはそれぞれ、表面２０と裏面２４、および支持部２２の長さ方向両側の側面３４ａ，ｂに開口して、表面２０と裏面２４に跨って延びる溝形状とされている。嵌合溝３２ａ，３２ｂは、支持部２２の表面２０および裏面２４において、支持部２２の長さ方向に延び出されている。
【００２５】
さらに、嵌合溝３２ａ，３２ｂは、後述する表裏導電部材３０ａ，３０ｂの表側片部６０と裏側片部６２の形状が互いに異ならされていることに応じて、表面２０側と裏面２４側において溝幅寸法が異ならされており、表面２０側では支持部２２の長手方向に直交する方向の略半分の幅寸法とされている一方、裏面２４側では、図３に示したように、支持部２２の中央部分に位置して、裏側片部６２の延出端部が重ね合わされる部分（図３中、後述する補強リブ５２の左右両側に位置する部分）を除く略全体が、支持部２２の長手方向に直交する方向の略全体に亘る幅寸法とされている。なお、嵌合溝３２ａ，３２ｂの溝深さ寸法は、表裏導電部材３０ａ，３０ｂの厚さ寸法と略等しくされている。
【００２６】
そして、嵌合溝３２ａ，３２ｂにおいて表面２０側の溝底面には、表側における表裏導電部材へのボルト固定位置としての表側ボルト固定孔３６ａ，３６ｂがそれぞれ形成されている。一方、図３に示したように、嵌合溝３２ａ，３２ｂにおいて裏面２４側の溝底面には、支持部２２の長手方向で後述する周壁４８を挟む両側に、裏側における表裏導電部材へのボルト固定位置としての裏側ボルト固定孔３８ａ，３８ｂがそれぞれ形成されている。図２に示すように、これら表側ボルト固定孔３６ａ，３６ｂと裏側ボルト固定孔３８ａ，３８ｂは支持部２２の表裏方向の投影視において、後述するヒュージブルリンク２６の端部接続端子８２ａ，８２ｂの延出方向に延びる同一直線上で、互いに位置をずらして形成されており、裏側ボルト固定孔３８ａ，３８ｂが表側ボルト固定孔３６ａ，３６ｂに比して後述するヒュージブルリンク装着部４０に近い位置に形成されている。
【００２７】
また、支持部２２の表面２０において、嵌合溝３２ａ，３２ｂの側方には、ヒュージブルリンク装着部４０が設けられている。ヒュージブルリンク装着部４０は、後述するヒュージブルリンク２６の本体８０に対応する長手矩形状の配設スペースとされている。ヒュージブルリンク装着部４０の長手方向中央部分には、支持部２２を厚さ方向（図４中、上下方向）に貫通する挿通孔４２が形成されている。図３に示すように、挿通孔４２は、支持部２２の裏面２４側において、嵌合溝３２ａ，３２ｂの間に開口されている。更に、ヒュージブルリンク装着部４０の長手方向両端部分には、門形の係止片４４が突出形成されている。また、ヒュージブルリンク装着部４０の長手方向中央部分において、嵌合溝３２ａ，３２ｂ側には、支持壁部４６が突出形成されている。
【００２８】
一方、支持部２２における裏面２４の中央部分には、挿通孔４２を全周に亘って囲んで突出する周壁４８が一体形成されている。図３に示したように、周壁４８は支持部２２の長手方向に直交する方向（図３中、上下方向）で、ヒュージブルリンク装着部４０寄りに位置されている。周壁４８の内周面には、周壁４８内に装着される出力用の外部電線４７のコネクタ４９を係止する係止爪５１が設けられている。なお、周壁４８は、コネクタ４９を嵌合するに際して、両側に配設された後述するボルト７８が干渉するのを軽減するために、ボルト７８の頭頂部よりも突出されることが好ましい。そして、支持部２２の裏面２４には、周壁４８の外周面５０から外周側に突出する補強リブ５２が一体形成されており、この補強リブ５２によって、裏面２４の嵌合溝３２ａ，３２ｂを仕切る隔壁が形成されている。
【００２９】
また、支持部２２の側面３４ａ，３４ｂ、および箱本体１２への組付状態で箱本体１２の外周壁５４と対向する側面５６には、係止爪５８がそれぞれ突出形成されている。
【００３０】
図４に示したように、このような構造とされた支持部２２に対して、表裏導電部材３０ａ，３０ｂが長手方向の両側から嵌め合わされる。表裏導電部材３０ａ，３０ｂは互いに対称形状とされていることから、以下、表裏導電部材３０ａを例に説明する。但し、表裏導電部材３０ａ，３０ｂの形状は互いに異ならされていても良い。
【００３１】
表裏導電部材３０ａは導電性の金属板が屈曲形成されてなる一体成形品とされており、表側片部６０と裏側片部６２が側面部６４で連結された全体としてコの字形状を有している。特に裏側片部６２には、裏側片部６２の側面部６４からの延出方向に直交して外方に突出する突出片部６６が形成されており、これにより、裏側片部６２は突出片部６６の形成部位において表側片部６０に比して幅広とされている。
【００３２】
そして、表側片部６０において嵌合溝３２ａの表側ボルト固定孔３６ａと対応する位置に、表側ボルト挿通孔６８が貫設されている。一方、裏側片部６２において嵌合溝３２ａの裏側ボルト固定孔３８ａと対応する位置に、裏側ボルト挿通孔７０が貫設されている。
【００３３】
これら表裏導電部材３０ａ，３０ｂが、支持部２２を長さ方向の両外側から挟み込むようにして、嵌合溝３２ａ，３２ｂにそれぞれ嵌め合わされる。これにより、表裏導電部材３０ａ，３０ｂが支持部２２の長さ方向両側部分に組み付けられる。そして、表裏導電部材３０ａ，３０ｂの表側片部６０，６０が支持部２２の表面２０側に配設される一方、裏側片部６２，６２が表側片部６０から側面部６４を通じて支持部２２の裏面２４側に回り込まされて、支持部２２の裏面２４側に配設される。これにより、表裏導電部材３０ａ，３０ｂがそれぞれ支持部２２の表裏両面に跨って配設される。それと共に、表裏導電部材３０ａ，３０ｂの表側ボルト挿通孔６８、６８が嵌合溝３２ａ，３２ｂの表側ボルト固定孔３６ａ，３６ｂにそれぞれ重ね合わされる一方、裏側ボルト挿通孔７０，７０が嵌合溝３２ａ，３２ｂの裏側ボルト固定孔３８ａ，３８ｂにそれぞれ重ね合わされる。
【００３４】
このような表裏導電部材３０ａ，３０ｂが組み付けられた支持部２２が、箱本体１２において表裏方向に貫設された支持部挿入孔２８に箱本体１２の表面２０側から挿入される。そして、図３に示したように、支持部２２が支持部挿入孔２８の内周面に突出された支持突部６９で支持されると共に、支持部２２の係止爪５８が、支持部挿入孔２８の内周面に形成された係止部７１に係止されることによって、支持部２２が箱本体１２に取り付けられる。
【００３５】
さらに、支持部挿入孔２８の裏面２４側には、箱本体１２に収容された縦バスバー７２ａ，７２ｂが部分的に屈曲されて延び出された平バスバー部７４ａ，７４ｂが配設されている。これら平バスバー部７４ａ，７４ｂに対して、支持部２２に組み付けられた表裏導電部材３０ａ，３０ｂの裏側片部６２、６２が表面２０側から重ね合わされる。これにより、平バスバー部７４ａ，７４ｂに貫設されたボルト挿通孔７６、７６が、裏側片部６２、６２の裏側ボルト挿通孔７０、７０および嵌合溝３２ａ，３２ｂの裏側ボルト固定孔３８ａ，３８ｂとそれぞれ重ね合わされる。そして、平バスバー部７４ａ，７４ｂおよび表裏導電部材３０ａ，３０ｂの裏側片部６２、６２が、ボルト７８で支持部２２に対して共締めされて固定される。
【００３６】
さらに、箱本体１２に組み付けられた支持部２２のヒュージブルリンク装着部４０に、ヒュージブルリンク２６が装着される。図５に、ヒュージブルリンク２６を示す。ヒュージブルリンク２６は、長手平板形状を有する合成樹脂製の本体８０から、一対の端部接続端子８２ａ，８２ｂと、中央接続端子８４が突出された構造とされている。図示は省略するが、端部接続端子８２ａは、端部接続端子８２ｂおよび中央接続端子８４のそれぞれに対して、溶断部を介して連結されている。そして、これら端部接続端子８２ａ，８２ｂおよび中央接続端子８４の基部と溶断部が、本体８０で覆われている。なお、本体８０の長手方向両端の側面には、係止爪８６が突出形成されている。
【００３７】
端部接続端子８２ａ，８２ｂは、本体８０の長手方向両端部から互いに同方向に突出して、ヒュージブルリンク２６の幅方向（図２中、上下方向）で互いに同方向に屈曲されて延び出されている。これら端部接続端子８２ａ，８２ｂには、ボルト挿通孔８８、８８が貫設されている。また、中央接続端子８４は、本体８０において端部接続端子８２ａ，８２ｂで挟まれた長手方向中間部分から、ヒュージブルリンク２６の支持部２２への装着方向（図５中、上下方向）に突出して延び出されている。
【００３８】
このような構造とされたヒュージブルリンク２６が、箱本体１２に組み付けられた支持部２２のヒュージブルリンク装着部４０に対して、表面２０側から装着される。これにより、ヒュージブルリンク２６の端部接続端子８２ａ，８２ｂが、支持部２２に組み付けられた表裏導電部材３０ａ，３０ｂの表側片部６０、６０に表面２０側からそれぞれ重ね合わされて、端部接続端子８２ａ，８２ｂのボルト挿通孔８８，８８が、表側片部６０の表側ボルト挿通孔６８および嵌合溝３２ａ，３２ｂの表側ボルト固定孔３６ａ，３６ｂとそれぞれ重ね合わされる。そして、端部接続端子８２ａ，８２ｂおよび表裏導電部材３０ａ，３０ｂの表側片部６０、６０が、ボルト９０で支持部２２に対して共締めされて固定される。
【００３９】
なお、図２に示したように、支持部２２は箱本体１２の外周壁５４に隣接して配設されており、外周壁５４において端部接続端子８２ａに隣接する部位には、樋状のハーネス取出口９２が箱本体１２の外部に開口して形成されている。そして、端部接続端子８２ａには、入力用の外部電線９４の端部に設けられた接続端子９６が表面２０側から重ね合わされてボルト９０で共締めされるようになっており、接続端子９６から延び出す外部電線９４が、ハーネス取出口９２を通じて電気接続箱１０の外部に取り出されるようになっている。
【００４０】
そして、端部接続端子８２ａ，８２ｂがボルト９０で支持部２２に固定されることによって、ヒュージブルリンク２６が支持部２２に固定される。また、本体８０の係止爪８６、８６が、ヒュージブルリンク装着部４０の係止片４４、４４で係止される。ヒュージブルリンク２６は、支持部２２への装着状態において、本体８０の長さ方向がヒュージブルリンク装着部４０の長さ方向と等しくされると共に、本体８０が支持部２２から表面２０側の外方に突出して配設される。
【００４１】
さらに、ヒュージブルリンク２６の中央接続端子８４が、支持部２２の厚さ方向に貫設された挿通孔４２に挿入されて、挿通孔４２を通じて、周壁４８内の裏面２４側に突出される。これにより、中央接続端子８４と挿通孔４２、および周壁４８を含んで、支持部２２の裏面２４側にコネクタ部９８が形成される。前述のように、コネクタ部９８には、出力用の外部電線４７の端部に設けられたコネクタ４９が接続される。
【００４２】
このような構造とされた電気接続箱１０によれば、表裏導電部材３０ａ，３０ｂを支持部２２の表面２０および裏面２４に跨って配設して、表面２０の表側片部６０および裏面２４の裏側片部６２のそれぞれにヒュージブルリンク２６の端部接続端子８２ａ，８２ｂや縦バスバー７２ａ，７２ｂをボルト固定したことによって、複数のボルト固定部をスペース効率良く形成することが出来る。それと共に、支持部２２の裏面２４側において、表裏導電部材３０ａ，３０ｂ間の絶縁用スペースを巧く利用してコネクタ部９８を形成したことによって、係止爪５１を備え、比較的大型のコネクタが接続可能なコネクタ部９８をスペース効率良く形成することが出来る。その結果、支持部２２延いては電気接続箱１０の大型化を回避しつつ、ヒュージブルリンク２６の端部接続端子８２ａ，８２ｂを表裏導電部材３０ａ，３０ｂに対してボルト９０、９０で確実に接続出来ると共に、中央接続端子８４を、係止爪５１を備えたコネクタ部９８で安定的にコネクタ接続することが出来る。
【００４３】
特に本実施形態においては、支持部２２の裏側ボルト固定孔３８ａ，３８ｂが、表側ボルト固定孔３６ａ，３６ｂに比して、ヒュージブルリンク２６の端部接続端子８２ａ，８２ｂの延び出し方向で本体８０に対して近位に設定されている。これにより、裏側ボルト固定孔３８ａ，３８ｂの形成領域として、表面２０側におけるヒュージブルリンク装着部４０の形成領域を巧く利用して、支持部２２の裏面２４側において、コネクタ部９８の形成スペースをより有利に確保することが可能とされている。それと共に、表側ボルト固定孔３６ａと裏側ボルト固定孔３８ａ、表側ボルト固定孔３６ｂと裏側ボルト固定孔３８ｂとの相互干渉が回避されて、支持部２２の厚さ寸法のコンパクト化が図られる。
【００４４】
さらに、裏側ボルト固定孔３８ａ，３８ｂに固定されるボルト９８，９８は、ヒュージブルリンク２６の本体８０に対して支持部２２の厚さ方向の投影視で少なくとも部分的に重ね合わされている。これにより、表裏導電部材３０ａ，３０ｂの表裏両側でのボルト固定構造と、支持部２２の更なるコンパクト化が一層効果的に達成され得る。加えて、端部接続端子８２ａ，８２ｂが本体８０から幅方向に突出されていることから、ヒュージブルリンク２６の長さ寸法が抑えられている。更に、表側ボルト固定孔３６ａと裏側ボルト固定孔３８ａ、表側ボルト固定孔３６ｂと裏側ボルト固定孔３８ｂが端部接続端子８２ａ，８２ｂの延出方向で同一直線上に配設されていることから、支持部２２の長さ方向寸法のコンパクト化も図られる。また、ヒュージブルリンク２６の本体８０が平板形状とされて支持部２２上で立設されていることから、支持部２２の幅方向寸法のコンパクト化も図られている。そして、立設された本体８０の側面に支持壁部４６が沿わされることによって、端部接続端子８２ａ，８２ｂのボルト固定に際する本体８０の倒れ込みを防止することも出来る。
【００４５】
また、支持部２２の裏面２４において、表裏導電部材３０ａ，３０ｂの間にコネクタ部９８の周壁４８と補強リブ５２が配設されることによって、これら周壁４８と補強リブ５２で表裏導電部材３０ａ，３０ｂそれぞれの位置決め効果と相互の絶縁効果が発揮される。また、表裏導電部材３０ａ，３０ｂは、裏側片部６２において突出片部６６が形成されていることによって、コネクタ部９８の配設スペースを確保しつつ、通電断面積の確保が図られている。
【００４６】
加えて、支持部２２が箱本体１２に対して別体形成されていることから、表裏導電部材３０ａ，３０ｂが組み付けられた支持部２２を箱本体１２の支持部挿入孔２８に挿入して組み付けることによって、表裏導電部材３０ａ，３０ｂを支持部２２の表裏に跨って容易に配設することが出来、箱本体１２において全周に亘って囲繞された内方の部位であっても、表裏導電部材３０ａ，３０ｂが表裏に跨って配設された支持部２２を容易に設けることが出来る。
【００４７】
また、支持部２２が箱本体１２と別体形成されていることから、端部接続端子８２ａ，８２ｂや縦バスバー７２ａ，７２ｂのボルト固定に際するねじ締め力が直接に箱本体１２に及ぼされることが回避されて、ボルト固定に際する箱本体１２の変形のおそれも軽減することが出来る。なお、支持部２２を箱本体１２に組み付ける前に、ヒュージブルリンク２６をヒュージブルリンク装着部４０に装着して、端部接続端子８２ａ，ｂを（端部接続端子８２ａについては接続端子９６と共に）表裏導電部材３０ａ，ｂにボルト固定した後に、支持部２２を箱本体１２に組み付ける等しても良い。このようにすれば、支持部２２の箱本体１２への組み付け状態で実施されるボルト固定の作業数を減らすことが出来て、箱本体１２の変形のおそれをより軽減することが出来る。
【００４８】
さらに、支持部２２の表裏に跨って表裏導電部材３０ａ，３０ｂが配設されたことによって、ヒュージブルリンク２６の端部接続端子８２ａに接続される入力用の外部電線９４と、中央接続端子８４に接続される出力用の外部電線４７が、支持部２２を挟んで互いに反対側に延び出すようにされていることから、外部電線９４、４７の取り回しも容易とされている。特に端部接続端子８２ａはハーネス取出口９２に隣接して位置されていることから、外部電線９４の電気接続箱１０内での電線長を短くすることが出来て、接続端子９６のボルト固定に際する外部電線９４の取り回しも容易とすることが出来る。
【００４９】
以上、本発明の実施形態について詳述したが、本発明はその具体的な記載によって限定されない。例えば、支持部は箱本体に一体形成されていても良い。箱本体に一体形成された支持部への表裏導電部材の組み付け構造としては、箱本体において支持部の表裏両側の側方に開口するスリットを形成しておいて、このスリットに表裏導電部材を挿入する構造や、箱本体の表裏に貫通する貫通孔内に突出するように支持部を形成すると共に、支持部の長さ方向両側において貫通孔内周面との間に表裏導電部材を挿入するスペースを形成して、この挿入スペースから表裏導電部材を支持部に組み付ける構造などが例示される。
【００５０】
また、支持部に組み付けられる表裏導電部材は３つ以上であっても良いし、支持部に複数のヒュージブルリンクを装着する等しても良い。更に、ヒュージブルリンクの端部接続端子および中央接続端子の数も何等限定されない。従って、前記実施形態におけるコネクタ部９８の周壁４８内に複数の中央接続端子８４を突出させても良いし、支持部２２に複数のコネクタ部９８を形成する等しても良い。
【符号の説明】
【００５１】
１０：電気接続箱、１２：箱本体、２０：表面、２２：支持部、２４：裏面、２６：ヒュージブルリンク、３０ａ，ｂ：表裏導電部材、３２ａ，ｂ：嵌合溝（表裏導電部材の配設領域）、３６ａ，ｂ：表側ボルト固定孔（表側における表裏導電部材へのボルト固定位置）、３８ａ，ｂ：裏側ボルト固定孔（裏側における表裏導電部材へのボルト固定位置）、４０：ヒュージブルリンク装着部、４２：挿通孔、４８：周壁、５０：外周面、５２：補強リブ、７２ａ，ｂ：縦バスバー、７８：ボルト、８２ａ，ｂ：端部接続端子、８４：中央接続端子、９０：ボルト、９８：コネクタ部
【図１】
2011101503.tif 000003
【図２】
2011101503.tif 000004
【図３】
2011101503.tif 000005
【図４】
2011101503.tif 000006
【図５】
2011101503.tif 000007